【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
クロック入力、Ｎは３よりも大きいＮ個のステージを備えるクロックパルス発生器であって、
該ステージの各第ｉステージは、クロックパルスを該クロック入力から該トランスミッションゲートの出力へ第（ｉ−１）ステージおよび制御信号生成回路からの制御信号に応じてパスするように配置されたトランスミッションゲートを含み、
該制御信号生成回路は、該第（ｉ−１）ステージおよび該第（ｉ＋１）ステージに動作可能であるように結合され、該制御信号はそれによって生成され、
該第（ｉ−１）ステージからの該制御信号および該トランスミッションゲートからの該クロックパルスが終了した場合に、第（ｉ＋１）ステージに制御信号を供給し、該第（ｉ＋１）ステージが制御信号を生成する場合に、該第（ｉ＋１）ステージへの該制御信号を終了する制御信号発生回路とを備え、ここで１＜ｉ＜Ｎである、クロックパルス発生器。
【請求項２】
各第ｉステージが、前記第（ｉ＋１）ステージからの制御信号により前記トランスミッションゲートが選択的に制御されるようにするスイッチング配置と、
該第（ｉ＋１）ステージからの該制御信号および前記トランスミッションゲートからの前記クロックパルスが終了した場合に、該制御信号を前記第（ｉ−１）ステージへ供給し、ならびに該第（ｉ−１）ステージが制御信号を生成する場合に、該制御信号を終了する制御信号発生回路とを備える、請求項１に記載のクロックパルス発生器。
【請求項３】
前記スイッチング配置が、前記制御信号発生回路の前記出力に接続され、方向制御信号を受信する制御入力を有する、複数のさらなるトランスミッションゲートを備えた、請求項２に記載のクロックパルス発生器。
【請求項４】
前記トランスミッションゲート出力の少なくとも１つが、前記クロックパルス発生器の出力を構成する、請求項１に記載のクロックパルス発生器。
【請求項５】
前記制御信号またはその相補体の少なくとも１つが、前記クロックパルス発生器の出力信号を構成する、請求項１に記載のクロックパルス発生器。
【請求項６】
前記トランスミッションゲートが前記クロック入力に接続された入力を有する、請求項１に記載のクロックパルス発生器。
【請求項７】
各前記トランスミッションゲートが、反対の導電性タイプである第１および第２の金属酸化シリコンフィールド効果トランジスタを備え、該トランジスタのソース−ドレイン路は反平行に接続される、請求項１に記載のクロックパルス発生器。
【請求項８】
前記第２のトランジスタの前記ゲートが、インバータの出力に接続され、該インバータの入力が、前記制御信号を受信する前記第１のトランジスタの前記ゲートに接続される、請求項７に記載のクロックパルス発生器。
【請求項９】
各第ｉステージの前記制御信号発生回路が、第３、第４および第５金属酸化シリコンフィールド効果トランジスタ、ならびに金属酸化シリコンフィールド効果トランジスタ配置を備え、該第３および第４トランジスタが反対の導電性タイプであり、前記第（ｉ−１）ステージの該制御信号発生回路に接続された該第３のトランジスタの該ゲートを備えて第１の供給入力と第２の供給入力との間で直列に接続され、該第４のトランジスタの該ゲートが、前記トランスミッションゲートの前記出力に接続され、該第５のトランジスタおよび該トランジスタ配置が、反対の導電性タイプであり、前記第（ｉ＋１）ステージの該制御信号発生回路に接続された該第５のトランジスタの該ゲートを備えて該第１の供給入力と第２の供給入力との間で直列に接続され、該トランジスタ配置の第１の制御電極が、該第３のトランジスタと第４のトランジスタとの間の接続部に接続され、該トランジスタ配置の第２の制御電極が、該トランスミッションゲートの該出力に接続される、請求項１に記載のクロックパルス発生器。
【請求項１０】
前記第４のトランジスタの前記ゲートおよび前記トランジスタ配置の前記第２の制御電極が、インバータを介して前記トランスミッションゲートの前記出力に接続される、請求項９に記載のクロックパルス発生器。
【請求項１１】
前記トランスミッションゲート出力が、プルアップまたはプルダウントランジスタと共に提供される、請求項１に記載のクロックパルス発生器。
【請求項１２】
各前記トランスミッションゲートが、反対の導電性タイプである第１および第２の金属酸化シリコンフィールド効果トランジスタを備え、該トランジスタのソース−ドレイン路が反平行に接続され、
該第２のトランジスタのゲートが、インバータの出力に接続され、該インバータの入力は、前記制御信号を受信する該第１のトランジスタのゲートに接続され、
前記各プルアップまたはプルダウントランジスタが、該インバータの該入力または出力に接続された制御電極を有する、請求項１１に記載のクロックパルス発生器。
【請求項１３】
各前記ステージが、先行ステージから前記制御信号を受信する制御信号入力を有し、該制御信号入力がプルアップまたはプルダウン配置と共に提供される、請求項１に記載のクロックパルス発生器。
【請求項１４】
各前記トランスミッションゲートが、反対の導電性タイプである第１および第２の金属酸化シリコンフィールド効果トランジスタを備え、該トランジスタのソース−ドレイン路が反平行に接続され、
前記第２のトランジスタのゲートがインバータの出力に接続され、該インバータの入力は、前記制御信号を受信する該第１のトランジスタのゲートに接続され、
前記各プルアップまたはプルダウン配置が、該インバータの該出力に接続された第１の制御電極、および先行ステージの該インバータの該出力に接続された第２の制御電極を有するトランジスタ配置を備える、請求項１３に記載のクロックパルス発生器。
【請求項１５】
各前記ステージが、リセット信号に応じて該ステージをリセットするリセット回路を有する、請求項１に記載のクロックパルス発生器。
【請求項１６】
各前記ステージが、リセット信号に応じて該ステージをリセットするリセット回路を有し、
該各ステージが、前記制御信号を先行ステージから受信する制御信号入力を有し、該リセット回路が、論理状態をそこでリセットする該制御信号入力に接続されたプルアップまたはプルダウントランジスタを備える、請求項１４に記載のクロックパルス発生器。
【請求項１７】
ＣＭＯＳ集積回路をさらに備える、請求項１に記載のクロックパルス発生器。
【請求項１８】
請求項１に記載のクロックパルス発生器を備える、空間光変調器。
【請求項１９】
液晶デバイスをさらに備える、請求項１８に記載の空間光変調器。
【請求項２０】
請求項１８に記載の空間光変調器を備える、ディスプレイ。
【請求項２１】
請求項２０に記載の空間光変調器を備える、ディスプレイ。
【手続補正２】
【補正対象書類名】明細書
【補正対象項目名】０００７
【補正方法】変更
【補正の内容】
【０００７】
【課題を解決するための手段】本発明の第１の局面によると、クロック入力およびＮステージを備えるクロックパルス発生器が提供される。ここでＮは３よりも大きいＮ個のステージを備えるクロックパルス発生器であり該ステージの各第ｉステージは、クロックパルスを該クロック入力から該トランスミッションゲートの出力へ第（ｉ−１）ステージおよび制御信号生成回路からの制御信号に応じてパスするように配置されたトランスミッションゲートを含み、該制御信号生成回路は、該第（ｉ−１）ステージおよび該第（ｉ＋１）ステージに動作可能であるように結合され、該制御信号はそれによって生成され、該第（ｉ−１）ステージからの該制御信号および該トランスミッションゲートからの該クロックパルスが終了した場合に、第（ｉ＋１）ステージに制御信号を供給し、該第（ｉ＋１）ステージが制御信号を生成する場合に、該第（ｉ＋１）ステージへの該制御信号を終了する制御信号発生回路とを備え、ここで１＜ｉ＜Ｎである。


【手続補正３】
【補正対象書類名】明細書
【補正対象項目名】００２０
【補正方法】変更
【補正の内容】
【００２０】
空間光変調器は、液晶デバイスを備えてもよい。


【手続補正４】
【補正対象書類名】明細書
【補正対象項目名】００２１
【補正方法】変更
【補正の内容】
【００２１】
本発明の第３の局面によると、本発明の第２の局面による空間光変調器を備えるディスプレイが提供される。